(57)【特許請求の範囲】
【請求項１】
発光部の照射角を変更可能なストロボ装置であって、
前記発光部の照射角を設定する照射角設定手段と、
前記発光部の発熱に関する情報を検出する検出手段と、
前記発光部の発熱に関する情報が規定発熱領域に到達した場合、前記発光部の照射角を変更させることなく、当該照射角に応じて前記発光部の発光量として設定可能な値を変更する制御手段と、を有することを特徴とするストロボ装置。
【請求項２】
前記制御手段は、前記発光部の発熱に関する情報が規定発熱領域に到達した場合、前記発光部の照射角が大きいほど前記発光部の発光量として設定可能な値を小さくすることを特徴とする請求項１に記載のストロボ装置。
【請求項３】
前記制御手段は、前記発光部の発熱に関する情報が規定発熱領域に到達した場合、前記発光部の発熱に関する情報に応じて前記発光部の発光量として設定可能な値を変更することを特徴とする請求項１または２に記載のストロボ装置。
【請求項４】
前記制御手段は、前記発光部の発熱に関する情報が規定発熱領域に到達した場合、ユーザーが任意に前記発光量を決定できるマニュアル発光モードにすることを特徴とする請求項１ないし３のいずれか１項に記載のストロボ装置。
【請求項５】
前記ストロボ装置は、撮像装置に着脱自在であって、
前記照射角設定手段は、前記発光部の照射角を装着された撮像装置の撮像レンズの焦点距離に応じた角度に設定することを特徴とする請求項１ないし４のいずれか１項に記載のストロボ装置。
【請求項６】
発光部の照射角を変更可能な撮像装置であって、
撮像レンズの焦点距離に基づいて前記発光部の照射角を設定する照射角設定手段と、
前記発光部の発熱に関する情報を検出する検出手段と、
前記発光部の発熱に関する情報が規定発熱領域に到達した場合、前記発光部の照射角を変更させることなく、当該照射角に応じて前記発光量として設定可能な値を変更する制御手段と、を有することを特徴とする撮像装置。
【請求項７】
発光部の照射角を変更可能なストロボ装置と、当該ストロボ装置が装着された撮像装置と、を含むカメラシステムであって、
前記撮像装置の撮像レンズの焦点距離に基づいて前記発光部の照射角を設定する照射角設定手段と、
前記発光部の発熱に関する情報を検出する検出手段と、
前記発光部の発熱に関する情報が規定発熱領域に到達した場合、発光制限をかける発光制御手段と、を有し、
前記発光制御手段は、前記発光制限時には、前記発光部の照射角を変更させることなく、当該照射角に応じて前記発光部の発光量として設定可能な値を変更する制御手段と、を有することを特徴とするカメラシステム。
【発明の詳細な説明】
【技術分野】
【０００１】
本発明は、ストロボ装置および該ストロボ装置を具備する撮像装置に関するものである。
【背景技術】
【０００２】
ストロボ発光、特に連続発光を行うと、発光部（フレネルレンズ）が発光によって温度上昇（発熱）し、破損してしまう恐れがあった。
【０００３】
上記温度上昇対策として、特許文献１では、発光部が温度上昇した場合には警告表示を行う技術が開示されている。また、特許文献２では、連続発光を行わないように充電時間を操作する技術が、特許文献３では、発光を禁止させる等といった技術が、それぞれ開示されている。
【特許文献１】ＵＳ００５６４００７０Ａ
【特許文献２】特開平１０−２０６９４１号公報
【特許文献３】特開２００１−０６６６７５号公報
【発明の開示】
【発明が解決しようとする課題】
【０００４】
しかしながら、上記発光部の温度上昇時には警告を行う技術においては、発光を止めるか否かはユーザー任せであり、誤って発光部を破損させる等、該発光部にダメージを与える恐れがある。また、発光部の温度上昇による発光禁止を行う技術においては、実際にストロボ撮影したい時に撮影ができず、シャッタチャンスを逃してしまう可能性があった。
【０００５】
（発明の目的）
本発明の目的は、発熱による発光部へのダメージを抑制しつつ、シャッタチャンスを逃すことを回避することのできるストロボ装置、撮像装置及びカメラシステムを提供しようとするものである。
【課題を解決するための手段】
【０００６】
上記目的を達成するために、本発明に係るストロボ装置は、発光部の照射角を変更可能なストロボ装置であって、前記発光部の照射角を設定する照射角設定手段と、前記発光部の発熱に関する情報を検出する検出手段と、前記発光部の発熱に関する情報が規定発熱領域に到達した場合、前記発光部の照射角を変更させることなく、当該照射角に応じて前記発光部の発光量として設定可能な値を変更する制御手段と、を有することを特徴とする。
【０００７】
また、上記目的を達成するために、本発明に係る撮像装置は、発光部の照射角を変更可能な撮像装置であって、撮像レンズの焦点距離に基づいて前記発光部の照射角を設定する照射角設定手段と、前記発光部の発熱に関する情報を検出する検出手段と、前記発光部の発熱に関する情報が規定発熱領域に到達した場合、前記発光部の照射角を変更させることなく、当該照射角に応じて前記発光量として設定可能な値を変更する制御手段と、を有することを特徴とする。
また、上記目的を達成するために、本発明に係るカメラシステムは、発光部の照射角を変更可能なストロボ装置と、当該ストロボ装置が装着された撮像装置と、を含むカメラシステムであって、前記撮像装置の撮像レンズの焦点距離に基づいて前記発光部の照射角を設定する照射角設定手段と、前記発光部の発熱に関する情報を検出する検出手段と、前記発光部の発熱に関する情報が規定発熱領域に到達した場合、発光制限をかける発光制御手段と、を有し、前記発光制御手段は、前記発光制限時には、前記発光部の照射角を変更させることなく、当該照射角に応じて前記発光部の発光量として設定可能な値を変更する制御手段と、を有することを特徴とする。
【発明の効果】
【０００８】
本発明によれば、発熱による発光部へのダメージを抑制しつつ、シャッタチャンスを逃すことを回避することができる。
【発明を実施するための最良の形態】
【０００９】
本発明を実施するための最良の形態は、以下の実施例に示す通りである。
【実施例】
【００１０】
図１は本発明の一実施例に係わる、ストロボ装置、該ストロボ装置が着脱自在な撮像装置本体、および、撮像レンズの回路構成を示す図である。
【００１１】
まず、撮像装置（以下、カメラ本体）１００の回路構成について説明する。
【００１２】
カメラマイコン１０１には、焦点検出回路１０２、測光センサ１０３、シャッタ制御回路１０４、モータ制御回路１０５および液晶表示回路１０６が接続されている。また、カメラマイコン１０１は、撮像レンズ１１０内に配置されたレンズマイコン１１１とは、レンズマウント接点群１０９を介して信号伝達を行う。また、ストロボ装置２１０内に設けられた図２により後述するストロボマイコン２１９とは、ストロボ接点群２３０を介して信号伝達を行う。
【００１３】
焦点検出回路１０２は、カメラマイコン１０１からの信号に従って不図示の焦点検出ラインセンサの蓄積制御と読み出し制御を行い、それぞれの画素情報をカメラマイコン１０１に出力する。カメラマイコン１０１はこの情報をＡ／Ｄ変換し、位相差検出方式により焦点調節状態の検出を行う。なお、焦点調節状態の検出は、位相差検出方式に限るものでは無く、公知の方法を用いればよいことは言うまでもない。そして、カメラマイコン１０１は、レンズマイコン１１１と信号のやりとりを行うことによって、撮像レンズ１１０の焦点調節制御を行う。
【００１４】
測光センサ１０３は、被写体に向けてストロボ光を予備発光していない定常状態と予備発光している状態と双方の状態で輝度信号をカメラマイコン１０１に出力する。カメラマイコン１０１は、入力される輝度信号をＡ／Ｄ変換し、撮影の露出調節のための絞り値およびシャッタ速度の演算と、露光時のストロボの発光量の演算とを行う。シャッタ制御回路１０４は、カメラマイコン１０１からの信号に従ってシャッタ先幕駆動マグネットＭＧ−１およびシャッタ後幕駆動マグネットＭＧ−２の通電制御を行い、先幕および後幕を走行させ、露出動作を行う。モータ制御回路１０５は、カメラマイコン１０１からの信号に従ってモータを制御することにより、主ミラーのアップダウンおよびシャッタチャージ等を行う。
【００１５】
ＳＷ１は不図示のレリーズボタンの第１ストローク（半押し）操作でＯＮし、測光、ＡＦ（自動焦点調節）を開始させるスイッチである。ＳＷ２はレリーズボタンの第２ストローク（全押し）操作でＯＮし、シャッタ走行、すなわち露光動作を開始させるスイッチである。スイッチＳＷ１，ＳＷ２およびその他のスイッチＳＷ３、例えば単写／連写設定スイッチ、絞り設定スイッチ、シャッタ速度設定スイッチなどの各スイッチの信号は、カメラマイコン１０１が読み取る。
【００１６】
液晶表示回路１０６は、カメラマイコン１０１からの信号に従ってファインダ内表示器１０７、外部表示器１０８を制御し、各々の設定状態等を表示させる。
【００１７】
次に、撮像レンズ１１０内の回路構成について説明する。
【００１８】
カメラ本体１００と撮像レンズ１１０とは、上述したようにレンズマウント接点群１０９を介して相互に電気的に接続される。レンズマウント接点群１０９は、撮像レンズ１１０内のフォーカス駆動モータ１１５および絞り駆動モータ１１６の電源用接点である接点Ｌ０、レンズマイコン１１１の電源用接点Ｌ１、シリアルデータ通信を行うためのクロック用接点Ｌ２を有する。さらに、カメラ本体１００から撮像レンズ１１０へのデータ送信用接点Ｌ３、撮像レンズ１１０からカメラ本体１００へのデータ送信用接点Ｌ４を有する。さらには、モータ用電源に対するモータ用グランド接点Ｌ５、レンズマイコン１１１用電源に対するグランド接点Ｌ６を有する。
【００１９】
レンズマイコン１１１は、レンズマウント接点１０９を介してカメラマイコン１０１と接続される。そして、レンズマイコン１１１はカメラマイコン１０１からの信号に応じてフォーカス駆動モータ１１５および絞り駆動モータ１１６を動作させ、撮像レンズ１１０の焦点調節と絞り装置１１７の開口径を制御する。
【００２０】
次に、ストロボ装置２１０側の回路構成について、図２を用いて説明する。
【００２１】
図２において、２０１は電源電池である。２０２はＤＣ／ＤＣコンバータであり、電池電圧を数１００Ｖに昇圧する。２０３は発光エネルギーを蓄積するメインコンデンサである。２０４，２０５は抵抗であり、メインコンデンサ２０３の電圧を所定比に分圧する。２０６は発光電流を制限するためのコイル、２０７は発光停止時に発生する逆起電圧を吸収するためのダイオードである。２０８はフラット発光のためのダイオード、２０９はトリガ発生回路、２１０はＩＧＢＴなどの発光制御回路である。
【００２２】
２１１はデータセレクタであり、Ｙ０，Ｙ１端子からの２種類の入力の組み合わせにより、Ｄ０，Ｄ１，Ｄ２端子のいずれかを選択して、Ｙ端子より出力する。２１２はフラット発光の発光レベル制御用のコンパレータ、２１３はストロボ発光時の発光量制御用のコンパレータである。
【００２３】
２１４は第２の受光素子２１７に流れる微少電流を増幅すると共に光電流を電圧に変換する測光回路である。２１５は第１の受光素子２１８に流れる光電流を対数圧縮するとともにキセノン管２１６の発光量を圧縮積分するための積分測光回路である。
【００２４】
２１９はストロボ装置２１０全体の動作を制御するストロボマイコン、２３１はストロボ装置２１０の電源オンオフを切り換えるための電源スイッチである。
【００２５】
次に、ストロボマイコン２１９の各端子について説明する。
【００２６】
ＣＮＴはＤＣ／ＤＣコンバータ２０３の充電を制御する端子、ＡＤ１は充電電圧を読み込むためのＡ／Ｄ変換用の端子、ＡＤ２はバッテリーレベルを読み込むためのＡ／Ｄ変換用の端子である。ＣＯＭ２は電源スイッチ２３１のグラウンド電位に相当する制御出力用の端子、ＯＦＦはストロボ装置２１０が電源オフ時に選択される端子、ＯＮはストロボ装置２１０が電源オン時に選択される端子である。
【００２７】
ＣＬＫはカメラ本体１００とシリアル通信を行うための同期クロック入力用の端子、ＤＯは同期クロックに同期してストロボ装置２１０からカメラ本体１００にシリアルデータを転送するためのシリアル出力用の端子である。また、ＤＩは同期クロックに同期してカメラ本体１００からストロボ装置２１０がシリアルデータを受け取るためのシリアルデータ入力用の端子である。ＣＨＧはストロボ装置２１０からカメラ本体１００にキセノン管の発光可否を伝達するための端子、Ｘはカメラ本体１００からの閃光発光指令が入力される端子である。
【００２８】
ＩＮＴは積分測光回路２１５の積分制御出力用の端子、ＡＤ０は積分測光回路２１５から発光量を示す積分電圧を読み込むためのＡ／Ｄ変換入力用の端子、ＤＡ０はコンパレータ２１２，２１３のコンパレート電圧を出力するためのＤ／Ａ出力用の端子である。
【００２９】
Ｙ０，Ｙ１はデータセレクタ２１１の選択状態を出力する端子であり、ＴＲＩＧは発光トリガ信号を出力する端子である。
【００３０】
２２０は後述の発光部２２１の照射角を調節するためのズーム制御回路である。前述の撮像レンズ１１０の焦点調節が行われると、カメラマイコン１０１からのシリアルデータをストロボマイコン２１９が受け取る。ストロボマイコン２１９は、ＤＩＲ端子で発光部２２１をＷＩＤＥ方向またはＴＥＬＥ方向に移動させるかを決定し、ＭＴ端子によって発光部２２１を所望の方向に移動させ、焦点距離に対応した発光部２２１の照射角の調節を行う。詳しくは、キセノン管２１６による照射範囲の調節を行う。２２１は発光部であり、後述の図５にて説明するように、フレネルレンズにより光の拡散を行う。また、発光部２２１の発熱に関する情報、本実施例では温度を検出するための不図示の温度計が搭載されており、Ａ／Ｄ入力用のＡＤ３端子から読み込んでＡ／Ｄ変換し、温度をディジタル値として読み取ることができる。
【００３１】
ストロボマイコン２１９は、カメラ本体１００より指示された所定発光レベル、または、ストロボ装置２１０の不図示の設定部材を用いてユーザーにより設定された所定発光レベルに応じて、ＤＡ０端子に所定の電圧（コンパレート電圧）を設定する。
【００３２】
次に、データセレクタ２１１のＹ０，Ｙ１端子に「１，０」を出力し、データセレクタ２１１に入力端子としてＤ２端子を選択させる。このとき、キセノン管２１６は未だ発光していないので、第２の受光素子２１７の光電流は殆んど流れていないため、コンパレータ２１２の反転入力端子に入力される測光回路２１４の出力は発生しない。一方、コンパレータ２１２の出力はＨｉ（ハイレベル）であるので、発光制御回路２１０は導通状態となる。
【００３３】
次に、ＴＲＩＧ端子より発光トリガ信号を出力すると、トリガ発生回路２０９は高圧を発生したキセノン管２１６を励起し、発光が開始される。
【００３４】
一方、ストロボマイコン２１９は、積分測光回路２１５に積分開始を指示する。積分測光回路２１５は第１の受光素子２１８の対数圧縮された光電出力の積分を開始すると同時に、発光時間をカウントする不図示のタイマを起動させる。
【００３５】
発光が開始されると、発光レベル制御用の第２の受光素子２１７からの光電流が多くなり、測光回路２１４の出力が上昇する。そして、測光回路２１４の出力がコンパレータ２１２の非反転入力に設定されている所定のコンパレート電圧より高くなると、コンパレータ２１２の出力はＬｏ（ローレベル）に反転し、発光制御回路２１０はキセノン管２１６の発光電流を遮断する。これにより、放電ループが断たれるが、ダイオード２０８およびコイル２０６により環流ループを形成し、発光電流は回路の遅れによるオーバーシュートが収まった後、徐々に減少する。
【００３６】
発光電流の減少に伴い、発光レベルが低下するので、第２の受光素子２１７の光電流は減少し、測光回路２１４の出力も低下する。そして、所定のコンパレート電圧以下に低下すると、再びコンパレータ２１２の出力がＨｉに反転し、発光制御回路２１０が再度導通してキセノン管２１６の放電ループが形成され、発光電流が増加して発光レベルも増加する。
【００３７】
このように、ＤＡ０端子に設定された所定のコンパレート電圧を中心に、コンパレータ２１２は短い周期で発光レベルの増加減少を繰り返し、結果的には、所望するほぼ一定の発光レベルで発光を継続させる発光の制御が行われる。
【００３８】
前述したタイマのカウントにより所定の発光時間が経過すると、ストロボマイコン２１９はデータセレクタ２１１のＹ０，Ｙ１端子に「０，０」を出力する。これにより、データセレクタ２１１の入力端子はＤ０端子、すなわちＬｏ入力が選択され、出力は強制的にＬｏとなり、発光制御回路２１０はキセノン管２１６の放電ループを遮断する。これにより、発光が終了する。
【００３９】
また、発光終了時に、ストロボマイコン２１９は、発光量を積分した積分測光回路２１５の出力をＡ／Ｄ入力用のＡＤ０端子から読み込んでＡ／Ｄ変換し、積分値、すなわち発光時の発光量をディジタル値として読み取ることができる。
【００４０】
次に、ストロボ発光時の動作について、図３のフローチャートにしたがって説明する。
【００４１】
図３（ａ）のステップＳ１０１にて、図１で示したカメラ本体１００のスイッチＳＷ２がオンされると、カメラマイコン１０１を介してストロボマイコン２１９にそのことが伝わり、ストロボマイコン２１９は、ステップＳ１０２からの動作を開始する。なお、発光モードが自動調光発光の場合は、Ｘ信号変更より前にストロボ接点群２３０に含まれる通信用のＳ０，Ｓ１，Ｓ２端子を通してシリアル通信によりカメラマイコン１０１からストロボマイコン２１９に発光量が送信される。また、送信が完了すると、カメラマイコン１０１により、ストロボ接点群２３０のＳ４端子のＸ信号をＨｉからＬｏに変更される。ストロボ装置２１０側であらかじめ発光量が設定されているマニュアル発光モードの場合は、発光量の送信は行わず、Ｘ信号のレベル変更のみが行われる。
【００４２】
次のステップＳ１０２では、ストロボマイコン２１９は、図２で示したストロボ接点群２３０のＳ４端子がＬｏであることを検出すると、それに同期してストロボ発光を行う。ストロボ発光が終了した後は、次のステップＳ１０３にて、フレネルレンズ（図５参照）より成る発光部２２１の発熱状態、本実施例では温度上昇を不図示の温度計を使って、Ａ／Ｄ入力用のＡＤ３端子から読み込んでＡ／Ｄ変換する。そして、温度をディジタル値として読み取る。もし、温度計が搭載されていない場合においては、温度上昇シミュレーション等により、発光量に応じて推定温度を算出する等により発熱状態を検出するようにしても良い。
【００４３】
次のステップＳ１０４では、ストロボマイコン２１９は、検出された温度と規定温度Ｔ１とを比較し、規定温度Ｔ１以下であればステップＳ１０１に戻り、スイッチＳＷ２が押される毎に、上記の処理を繰り返す。上記規定温度Ｔ１は、次回の発光量がストロボの最大発光量であるフル発光でも、発光部２２１がダメージを受けない（溶解、破損しない）温度レベルのことを言っている。ここで、ストロボ発光後の発光部の温度が規定温度Ｔ１より高ければステップＳ１０５へ進み、後述するように発光部２２１へのダメージを抑止するための発光制限処理を次回ストロボ発光より施する。つまり、ステップＳ１０５では、発熱温度に応じて発光量を調節する。
【００４４】
以下、ステップＳ１０５にて実行される発光制限処理の詳細について、図３（ｂ）のフローチャートにより説明をする。
【００４５】
ステップＳ２０１では、ストロボマイコン２１９は、発光モードが自動発光モードの場合は、不図示のストロボ操作部材を使用して発光モードをマニュアル発光モードに変更するか、強制的にマニュアル発光モードに変更する。そして、次のステップＳ２０２にて、照射角のズーム位置と現在の発熱レベルに応じて発光量の上限の決定を行う。
【００４６】
ここで、ステップＳ２０１にて発光モードをマニュアル発光モードに強制的に変更するのは、ステップＳ２０２で発光量の上限が制限されることに起因している。仮に、ステップＳ２０１で自動発光モードを維持してしまうと、自動的に最適な発光量が得られるとユーザーに思わせてしまうにも拘わらず、実際にはステップＳ２０２で発光量が制限されているために、撮影時の発光量が不足してしまう可能性が高い。そこで、ステップＳ２０２で発光量が制限されていることをユーザーに認識してもらうために、ステップＳ２０１では発光モードをマニュアル発光モードに切り換えている。
【００４７】
図４（ａ）は、発光部２２１のダメージを抑制できる発光可能領域を○で、そうでない領域を×で、それぞれ示している。発光部２２１の温度上昇は照射角（キセノン管２１６の位置）によって大きく変わるため、その時の照射角に合わせて発光量を変動させる。
【００４８】
例えば、図５に示したように照射角が１０５ｍｍの場合は、キセノン管２１６と発光部２２１の距離が遠くなるように設定される。発光部２２１に温度がさほど伝わらないため、発光量はマニュアルにてフル発光の１／２〜１／１２８まで選択可能となる。一方、照射角が２４ｍｍの場合は、キセノン管２１６と発光部２２１の距離が近くなるように設定される。発光部２２１に非常に近いため、発光量はマニュアルにてフル発光量の１／１２８のみ選択可能となる。
【００４９】
上記ステップＳ１０２にて、照射角が３５ｍｍでフル発光量の１／２でストロボ発光を行った後、ステップＳ１０３，Ｓ１０４で発光部２２１の発熱が規定温度Ｔ１よりも高くなったことが検知された場合を例にあげて説明する。次のステップＳ１０５では、発光モードが強制的にマニュアル発光に変更され、発光量の上限がフル発光量の１／３２に設定される。前のステップＳ１０２で発光量がフル発光量の１／２に設定されていた。そのため、ここでは強制的に発光量がフル発光量の１／３２に設定され、この発光量以下であれば、ユーザーが自由に発光量を選択することを許可する。本実施例では、照射角を基準として発光量の上限を変動させたが、発光量を基準として照射角の設定可能範囲を変動させる方式でも構わない。また、図５は発光部２２１（フレネルレンズ）に対して近い照射角を２４ｍｍとしたが、光学系によっては、発光部２２１に近い照射角は１０５ｍｍとなることもある。
【００５０】
続いて、図４（ｂ）について説明する。規定温度Ｔ１は、図４（ａ）から判るように、次回の発光量がストロボの最大発光量であるフル発光でも発光部２２１に対してのダメージを抑制可能な温度レベルのことであり、温度Ｔ２は、発光部２２１に対してのダメージを抑制不能となる臨界温度である。
【００５１】
発光制限処理中の発光時における発光部２２１の温度が、温度Ｔ１〜Ｔ２間に収まれば、発光部２２１へのダメージを抑制することができるので、現在の温度の高さによって発光量を変動させることが可能である。発光部２２１の温度がＴ１であるときの発光可能／不可の発光領域を図６（ａ）、温度Ｔ２であるときの発光可能／不可の発光領域を図６（ｂ）、温度Ｔ１とＴ２の中間であるときの発光可能／不可の発光領域を図４（ａ）とすることが可能である。すなわち、発光部２２１の温度が温度Ｔ１〜Ｔ２の間であって、かつ、温度Ｔ１に近いほど、臨界温度Ｔ２まで余裕が残っている。そのため、図４（ａ）の発光可能／不可の発光領域をしきい線Ｔ０が上方へ移動することができる。反対に、発光部２２１の温度が温度Ｔ１〜Ｔ２の間にあって、かつ、温度にＴ２に近いほど、臨界温度Ｔ２までの余裕が少ないことになる。そのため、図４（ａ）のしきい線Ｔ０が下方へ移動する。例えば、現在の温度がＴ１であれば、５０〜１０５ｍｍではフル発光までの選択が可能となり、現在の温度がＴ２であれば、８０ｍｍではフル発光の１／１２８の発光しかできない制御になる。
【００５２】
以上、発光モードをマニュアルモードに変更し、発光部２２１のダメージを抑制できる発光量のレベルを決定し、図３（ｂ）の発光制限処理を終了する。
【００５３】
図３（ａ）に戻り、次のステップＳ１０６では、ストロボマイコン２１９は、カメラマイコン１０１を介して上記ステップＳ１０１と同様にスイッチＳＷ２がオンされたか否かを判定する。スイッチＳＷ２がオンされるとステップＳ１０７へ進む。なお、スイッチＳＷ２がオンの場合、カメラマイコン１０１によりストロボ接点群２３０に含まれるＳ４端子のＸ信号がＨｉからＬｏに変更される。
【００５４】
次のステップＳ１０７では、ストロボマイコン２１９は、ストロボ接点群２３０に含まれるＳ４端子のＸ信号がＨｉからＬｏに変更されたことを検出すると、それに同期して、図３（ｂ）のステップＳ２０２で決定された発光量でストロボのマニュアル発光を行う。
【００５５】
本実施例では、発光制限処理時の発光モードをマニュアルモード（図３（ｂ）のステップＳ２０１）としている。しかし、発光部２２１にダメージをあたえる恐れのある臨界温度Ｔ２を超えない発光量をあらかじめ決定できる方式であれば、発光モードはなんでも良い。例えば、マルチ発光、カメラ本体１００側が被写体に合わせて自動で発光量を決定する自動調光発光、ストロボ装置２１０側が自動で調光する外部調光のいずれかであっても良い。
【００５６】
上記の実施例によれば、発光部２２１の照射角を撮像レンズ１１０の焦点距離に応じて設定するストロボズーム手段（ズーム制御回路２２０、ストロボマイコン２１９）を有する。さらに、発光モードを切り換える切換手段（ストロボマイコン２１９の図３（ｂ）のステップＳ２１０の動作を行う部分）を有する。さらに、発光部２２１の発熱に関する情報を検出する検出手段（発光部２２１の温度を検出する不図示の温度計およびストロボマイコン２１９）を有する。さらには、発光部２２１の発熱に関する情報が規定発熱領域（図４（ｂ）の温度Ｔ１超過かつ温度Ｔ２未満の領域）に到達したとする。この場合、発光制限をかける発光制御手段（ストロボマイコン２１９の図３（ａ）のステップＳ１０５（図３（ｂ））の動作を行う部分）を有する。そして、上記発光制御手段は、発光制限時には、発光量を調節するようにしている。
【００５７】
詳しくは、上記発光制御手段は、発光制限時には、照射角に応じて発光量の上限を設定するか、あるいは、発光量に応じて前記照射角の設定可能範囲を制限するようにしている。
【００５８】
また、発光制限時には、発光部２２１の発熱状態に応じて発光量の上限、あるいは、照射角の設定可能範囲を変化させる（図４参照）ようにしている。
【００５９】
また、発光制限時には、ユーザーが任意に発光量を決定できるマニュアル発光、マルチ発光、撮像装置側が被写体に合わせて自動で発光量を決定する自動調光発光、ストロボ装置側が自動で調光する外部調光のいずれかのモードに切り換えるようにしている。
【００６０】
よって、発光部２２１の発熱、つまり温度上昇による該発光部２２１へのダメージを抑制しつつ、シャッタチャンスを逃すことを回避することが可能なストロボ装置２１０及び該ストロボ装置を具備するカメラを提供可能となる。
（本発明と実施例の対応）
ストロボマイコン２１９及びズーム制御回路２２０が本発明のストロボズーム手段に、発光部２２１が本発明の発光部に、それぞれ相当する。また、ストロボマイコン２１９の図３（ａ）のステップＳ１０３の動作を実行する部分が、本発明の、発光部の発熱に関する情報を検出する検出手段に相当する。また、ストロボマイコン２１９の図３（ａ）のステップＳ１０５の動作を実行する部分が、本発明の、発光部の発熱に関する情報が規定発熱領域に到達した場合、発光制限をかける発光制御手段に相当する。
【００６１】
上記実施例において例示される構成部品の寸法、形状、それらの相対配置などは、本発明が適用される装置の構成や各種条件により適宜変更されるべきものであり、本発明がそれらの例示に限定されるものではない。
【図面の簡単な説明】
【００６２】
【図１】本発明の一実施例に係わるストロボ装置、撮像装置及び撮像レンズの回路構成を示すブロック図である。
【図２】図１のストロボ装置内の回路構成を示すブロック図である。
【図３】本発明の一実施例に係わるストロボ発光時の動作を示すフローチャートである。
【図４】本発明の一実施例に係わる発光禁止解除を行うためのズームと発光量と温度の関係を示した図である。
【図５】本発明の一実施例に係わるストロボズーム機構を示した図である。
【図６】本発明の一実施例に係わる発光禁止解除を行うためのズームと発光量の関係をより具体的に示した図である。
【符号の説明】
【００６３】
１００    カメラ本体（撮像装置）
１０１    カメラマイコン
１１０    撮像レンズ
１１１    レンズマイコン
２１６    キセノン管
２１９    ストロボマイコン
２２０    ズーム制御回路
２２１    発光部
２３０    ストロボ接点群
【図１】
0005224757.tif 000002
【図２】
0005224757.tif 000003
【図３】
0005224757.tif 000004
【図４】
0005224757.tif 000005
【図５】
0005224757.tif 000006
【図６】
0005224757.tif 000007